(57)【要約】【課題】より簡素な構成で立体感のある装飾を実現する。【解決手段】表面側に凸部５３が形成されると共に裏面側が平坦状に形成された透明板５２と、凹凸面５５の装飾模様が印刷された装飾シート５４とを用いて、透明板５２の裏面側に装飾シート５４の凹凸面５５が位置するように、透明板５２に装飾シート５４を貼り付けて装飾部材を構成する。これにより、装飾部材を正面側から見た際に、装飾シート５４の平面の装飾模様（凹凸面５５）を立体感のあるものとして見せることができる。【選択図】図５
2015100600.tif 000002
【特許請求の範囲】
【請求項１】
凸部を有する透過性の装飾板と、凹凸面を有する装飾シートとを有し、前記装飾板の凸部の裏面に、前記装飾シートの前記凹凸面が位置するように、前記装飾板に前記装飾シートを設けてなる装飾部材
を備えることを特徴とする遊技機。
【請求項２】
請求項１記載の遊技機であって、
前記装飾板の凸部は、第１傾斜面と第２傾斜面とにより山型に形成されてなる
ことを特徴とする遊技機。
【請求項３】
請求項２記載の遊技機であって、
前記装飾シートの凹凸面は、前記第１傾斜面の裏面に位置する第１凹凸面と、前記第２傾斜面の裏面に位置する第２凹凸面とで、異なる模様が形成されてなる
ことを特徴とする遊技機。
【請求項４】
請求項１ないし３いずれか１項に記載の遊技機であって、
前記装飾シートの凹凸面は、所定色である
ことを特徴とする遊技機。
【請求項５】
請求項１ないし４いずれか１項に記載の遊技機であって、
前記装飾板の凸部は、透明である
ことを特徴とする遊技機。
【発明の詳細な説明】
【技術分野】
【０００１】
本発明は、パチンコ機やアレンジボール、スロットマシン，パチンコ機とスロットマシンとの融合機などの遊技機に関する。
【背景技術】
【０００２】
従来、この種の遊技機としては、遊技者の注意を惹きつけるために、様々な装飾部材を備えるものが知られている。例えば、引用文献１には、装飾部材として、表面側に凸部が形成されると共に裏面側に凹部が形成された導光板を備えるものが開示されている。この導光板は、表面側の凸部に熱帯魚の形状を模した装飾絵柄が描かれ、裏面側の凹部にサンゴの形状を模した装飾絵柄が描かれている。
【先行技術文献】
【特許文献】
【０００３】
【特許文献１】特開２００７−１０５３７６号公報
【発明の概要】
【発明が解決しようとする課題】
【０００４】
しかしながら、上述した遊技機では、立体感を実現するために、導光板の裏面側を加工したり、導光板の表面側と裏面側の双方に装飾絵柄を形成したりするため、構造が複雑化し、コスト面でも不利である。
【０００５】
本発明の遊技機は、より簡素な構成で立体感のある装飾を実現することを主目的とする。
【課題を解決するための手段】
【０００６】
本発明の遊技機は、上述の主目的を達成するために以下の手段を採った。
【０００７】
本発明の遊技機は、
凸部を有する透過性の装飾板と、凹凸面を有する装飾シートとを有し、前記装飾板の凸部の裏面に、前記装飾シートの前記凹凸面が位置するように、前記装飾板に前記装飾シートを設けてなる装飾部材
を備えることを要旨とする。
【０００８】
この本発明の遊技機では、透過性の装飾板の凸部の裏面に、装飾シートの凹凸面が位置するように、装飾板に装飾シートを設ける。装飾板は透過性を有するから、装飾シートの凹凸面を装飾板を介して視認可能である。
これにより、装飾シートにおける凹凸面の装飾を、より立体的に見せることができる。この結果、より簡素な構成で立体感のある装飾を実現することができる。
【０００９】
こうした本発明の遊技機において、
前記装飾板の凸部は、第１傾斜面と第２傾斜面とにより山型に形成されてなる
ものとすることもできる。
【００１０】
これにより、空気中を進む光の一部が第１傾斜面と第２傾斜面とで反射する際に、それぞれ異なる方向に光を反射させ、空気中を進む光の残りが装飾板内に入射し、入射した光が装飾シートの凹凸面で反射して装飾板の第１傾斜面と第２傾斜面とから出ていく際に、それぞれ屈折現象によって異なる方向へ光を進ませることとなる。このため、第１傾斜面を通して見える凹凸面と第２傾斜面を通して見える凹凸面との陰影の付き方がそれぞれ異なるものとなるから、凹凸面の装飾の立体感をより強調させることができ、装飾効果をより高めることができる。
【００１１】
この態様の本発明の遊技機において、
前記装飾シートの凹凸面は、前記第１傾斜面の裏面に位置する第１凹凸面と、前記第２傾斜面の裏面に位置する第２凹凸面とで、異なる模様が形成されてなる
ものとすることもできる。
【００１２】
こうすれば、第１凹凸面および第２凹凸面の立体感をさらに強調させることが可能となり、装飾効果を一層高めることができる。
【００１３】
また、本発明の遊技機において、
前記装飾シートの凹凸面は、所定色である
ものとすることもできる。
【００１４】
こうすれば、凹凸面の装飾効果をより高めることが可能となる。ここで、「凹凸面」は、光沢面としてもよい。こうすれば、凹凸面からの反射光が透過性の装飾板を介して空気中に出ていく際の屈折現象によって、凹凸面の装飾効果を一層高めることが可能となる。
【００１５】
さらに、本発明の遊技機において、
前記装飾板の凸部は、透明である
ものとすることもできる。
【００１６】
こうすれば、装飾シートの凹凸面における装飾をより視認し易くすることができる。
【発明の効果】
【００１７】
本発明の遊技機によれば、より簡素な構成で立体感のある装飾を実現することができる。
【図面の簡単な説明】
【００１８】
【図１】本発明の一実施例としてのパチンコ機１０の外観を示す外観斜視図である。
【図２】実施例のパチンコ機１０の遊技盤３０の構成の概略を示す構成図である。
【図３】装飾部材５０の外観を示す外観図である。
【図４】装飾部材５０を構成する透明板５２および装飾シート５４の外観を示す外観図である。
【図５】透明板５２および装飾シート５４の断面図である。
【図６】装飾シートのサンプルの一例を示す説明図である。
【発明を実施するための形態】
【００１９】
次に、本発明の実施の形態を実施例を用いて説明する。なお、以下では、特別図柄の変動表示の終了に伴い大当り図柄が停止表示され、これを契機に大当り遊技が開始されるタイプ（いわゆるセブン機タイプ）のパチンコ機に本発明を適用した例を説明する。
【実施例】
【００２０】
図１はパチンコ機１０（遊技機）の外観を示す外観斜視図であり、図２はパチンコ機１０の遊技盤３０の構成の概略を示す構成図である。
【００２１】
実施例のパチンコ機１０は、図１に示すように、前面枠１１に嵌め込まれたガラス板１２（透明板）を介して盤面が視認可能に配置された遊技盤３０（図２参照）と、遊技球を貯留する上受け皿１４および下受け皿１６と、上受け皿１４に貯留されている遊技球を遊技盤３０へ発射するための発射ハンドル１８と、を備える。
【００２２】
前面枠１１は、本体枠２１に嵌め込まれており、左辺を回動軸として本体枠２１に対して回動できるようになっている。本体枠２１は、外枠２２に嵌め込まれており、左辺を回動軸として外枠２２に対して回動できるようになっている。なお、前面枠１１と本体枠２１は、略長方形状のプラスティック製の枠体として構成されている。また、外枠２２は、略長方形状の木製の枠体として構成されており、パチンコホールの島設備の島枠に固定される。
【００２３】
また、前面枠１１の左上部と右上部には、遊技の進行に伴って種々の効果音を鳴らしたり遊技者に遊技状態を報知したりするためのスピーカ２８ａ，２８ｂが設けられており、右端部には、前面枠１１を本体枠２１に対して施錠するための施錠装置２９が設けられている。また、前面枠１１の左側には、図示しないプリペイドカード式の球貸装置（ＣＲユニット）が設けられている。
【００２４】
上受け皿１４は、その上面部に、ＣＲユニットに挿入されたカードの価値残高（有価残高）の範囲内で遊技球の貸し出しを指示するための球貸ボタン２４ａと、ＣＲユニットに挿入されているカードの返却を指示するための返却ボタン２４ｂとが配設されている。また、上受け皿１４は、その上面中央部に、遊技者の操作に応じて各種演出を行うための演出ボタン２６が配設されている。
【００２５】
発射ハンドル１８は、前面枠１１の右下部に設けられている。発射ハンドル１８の回転軸には、上受け皿１４に貯留されている遊技球を１球ずつ打ち出すための図示しない発射装置が接続されており、発射ハンドル１８が回転操作されると、発射装置が備える発射モータが回転し、これに伴って発射ハンドル１８の操作量に応じた強さの打撃力で遊技球を打ち出す。
【００２６】
遊技盤３０は、図２に示すように、遊技盤本体３０ａに、外レール３１ａと内レール３１ｂとによって囲まれる遊技領域３１が形成されている。遊技盤本体３０ａの遊技領域３１内には、遊技領域３１の左部に配置された普通図柄作動ゲート３２と、遊技領域３１の右下部に配置された図柄表示装置４０と、遊技領域３１の中央部に配置された演出表示装置３４と、演出表示装置３４の周囲を囲むように配置されたセンター役物４９と、センター役物４９の下側に配置された第１始動口３６と、センター役物４９の左部に形成された開閉可能な第２始動口３８と、遊技領域３１の右下部に開閉可能に配置された開閉可能な大入賞口４４と、遊技領域３１の左下部に配置された一般入賞口４５と、いずれの入賞口にも入らなかった遊技球を回収するためのアウト口４６とが設けられている。また、遊技盤本体３０ａの遊技領域３１内には、この他に、普通図柄作動ゲート３２の下側には風車４８が設けられ、上述した各入賞口の周辺には遊技球をガイドしたり弾いたりする図示しない多数の釘が設けられている。
【００２７】
こうして構成された実施例のパチンコ機１０では、第１始動口３６が演出表示装置３４の下側に配置されており、大当り遊技でない通常遊技のときに、遊技者は遊技球を遊技領域３１の左側（演出表示装置３４の左側領域）に流下させるように発射ハンドル１８の回転操作（所謂左打ち）を行うことにより、遊技球を第１始動口３６に入球させることができる。また、普通図柄作動ゲート３２および第２始動口３８が演出表示装置３４の左側に配置されており、遊技者は左打ちを行うことにより、遊技球を普通図柄作動ゲート３２を通過させ、普通図柄作動ゲート３２への遊技球の通過に基づいて変動表示される普通図柄が当りとなって第２始動口３８を開状態となると、遊技者は左打ちを継続することにより、遊技球を第２始動口３８に入球させることができる。さらに、大入賞口４４が遊技領域３１の右下部に配置されており、第１始動口３６や第２始動口３８への遊技球の入球に基づいて変動表示される特別図柄が当りとなって大当り遊技が開始されると、遊技者は発射ハンドル１８を最大限右回転させて遊技球を発射させる所謂右打ちを行うことにより、遊技球を遊技領域３１の右側（演出表示装置３４の右側領域）に流下させて、開状態となった大入賞口４４に入球させることができる。
【００２８】
また、遊技盤本体３０ａにおける遊技領域３１の左下部には、略三日月形状の装飾部材５０が取り付けられている。図３は、装飾部材５０の外観を示す外観図であり、図４は、装飾部材５０を構成する透明板５２および装飾シート５４の外観を示す外観図である。装飾部材５０は、例えば、アクリル素材により形成された透明板５２と、透明板５２の裏面側に貼り付けられた装飾シート５４とにより構成されており、正面側から透明板５２を介して装飾シート５４に印刷された装飾模様を視認可能となっている。
【００２９】
図５は、透明板５２および装飾シート５４の断面を示す断面図である。なお、図５（ａ）は装飾板５０に装飾シート５４を貼り付ける前の断面図を示し、図５（ｂ）は装飾板５０に装飾シート５４を貼り付けた後の断面図を示す。透明板５２は、図示するように、表面側には複数の凸部５３が形成され、裏面側は平坦状に形成されている。透明板５２の凸部５３は、２つの傾斜面（第１傾斜面５３ａ，第２傾斜面５３ｂ）により頂部が連続する山型に形成されている。透明板５２の裏面側には、装飾模様（例えば光沢性を有する金色の装飾模様）が印刷された装飾シート５４が貼り付けられる。
【００３０】
装飾シート５４は、凹凸面５５（「凹凸部」ともいう）によって装飾模様が構成されており、本実施例では、凹凸面５５の凸部の高さが約１００μｍである。このため、装飾シート５４の凹凸面５５は隙間をほとんど生じさせることなく透明板５２の裏面に貼り付けることができ、密着性を損うことがない。また、装飾シート５４の凹凸面５５は、本実施例では、透明板５２の凸部５３を構成する傾斜面のうち第１傾斜面５３ａの裏面に位置する第１凹凸面５５ａと、第２傾斜面５３ｂの裏面に位置する第２凹凸面５５ｂとで、異なる装飾模様が施されている。
【００３１】
いま、こうして構成された装飾部材５０において、装飾部材５０を正面側から見た場合を考える。透明板５２の表面側には第１傾斜面５３ａおよび第２傾斜面５３ｂからなる山型の凸部５３が形成されているから、空気中を進む光の一部は第１傾斜面５３ａと第２傾斜面５３ｂとで反射する際に、それぞれ異なる方向に光を反射させ、空気中を進む光の残りは屈折を伴って透明板５２内に入射し、装飾シート５４の光沢を有する凹凸面５５で反射する。そして、凹凸面５５で反射した光が透明板５２の第１傾斜面５３ａと第２傾斜面５３ｂとから出ていく際に、それぞれ屈折を伴って異なる方向へ進んでいく。こうしたことから、第１傾斜面５３ａを通して見える第１凹凸面５５ａと第２傾斜面５３ｂを通して見える凹凸面５５ｂとの陰影の付き方がそれぞれ異なるものなる。したがって、装飾部材５０を正面側から見ると、恰も透明板５２の表面（凸部５３）に装飾模様（凹凸面５５）が施されているかのように、平面の装飾模様が立体的に感じることとなる。さらに、本実施例では、装飾シート５４の凹凸面５５（装飾面）として、第１傾斜面５３ａの裏面に位置する第１凹凸面５５ａと、第２傾斜面５３ｂの裏面に位置する第２凹凸面５５ｂとで異なる装飾模様を施すものとしたから、凹凸面５５の立体感がより強調され、装飾模様が一層立体感あるものとして感じることとなる。
【００３２】
なお、装飾部材５０の開発の過程で、装飾部材５０を試作する際には以下の手順によって行うことができる。図６は、装飾シートのサンプルの一例を示す。装飾部材５０の試作は、それぞれ装飾模様が異なる複数種類の装飾シート５４Ａ〜５４Ｃのサンプル（図６参照）と、１つの透明板５２とを準備し、透明板５２を各装飾シート５４Ａ〜５４Ｃのサンプルに順次重ねていくことで行うことができる。即ち、装飾部材５０の試作は、透明板５２の形状が決れば、装飾シートのサンプルのみを試作すれば足りるため、透明板５２の表面（凸部５３）に直接に装飾模様を施して試作を行うものに比して、低コストで且つ短期間に、様々なサンプルを試すことができる。
【００３３】
以上説明した実施例のパチンコ機１０によれば、表面側に凸部５３が形成されると共に裏面側が平坦状に形成された透明板５２と、凹凸面５５の装飾模様が印刷された装飾シート５４とを用いて、透明板５２の裏面側に装飾シート５４の凹凸面５５が位置するように、透明板５２に装飾シート５４を貼り付けて装飾部材５０を構成する。これにより、装飾部材５０を正面側から見た際に、装飾シート５４の平面の装飾模様（凹凸面５５）を立体感のあるものとして見せることができる。この結果、より簡素な構成で立体感のある装飾を実現することができる。したがって、装飾部材５０を開発する過程で、装飾部材５０の模様を決定する際に、装飾模様の異なる装飾シートのサンプルを複数用意するだけで、装飾部材５０を試作することが可能であるから、開発時間を短縮させたり、開発コストを低減させたりすることが可能となる。しかも、透明板５２の凸部５３を、第１傾斜面５３ａと第２傾斜面５３ｂとからなる山型に形成し、装飾シート５４の凹凸面５５として、第１傾斜面５３ａの裏面に位置する第１凹凸面５５ａと、第２傾斜面５３ｂの裏面に位置する第２凹凸面５５ｂとで異なる装飾模様を施すから、装飾シート５４の装飾模様（凹凸面５５）の立体感をより強調することができ、装飾効果を一層高めることができる。
【００３４】
実施例のパチンコ機１０では、透明板５２の表面側に第１傾斜面５３ａおよび第２傾斜面５３ｂからなる山型の凸部５３を複数形成するものとしたが、これに限定されるものではなく、装飾シート５４の凹凸面５５からの反射光に対して光の屈折を生じさせる面を有するものであれば、凸部５３の形状は問わない。
【００３５】
実施例のパチンコ機１０では、装飾シート５４の凹凸面５５の溝の深さを約１００μｍとしたが、これに限定されるものではない。但し、製造面や装飾面のバランスを考慮すると、約８０μｍ〜１２０μｍとすることが望ましい。
【００３６】
実施例のパチンコ機１０では、透明板５２の裏面側に装飾シート５４を貼り付けた状態で透明板５２を遊技盤本体３０ａに取り付けるものとしたが、これに限定されるものではなく、装飾シート５４を遊技盤本体３０ａ側に貼り付けると共に装飾シート５４に重なるように透明板５２を遊技盤本体３０ａに取り付けるものとしてもよい。
【００３７】
実施例のパチンコ機１０では、装飾板として透明板５２を用いるものとしたが、これに限定されるものではなく、装飾板を介して装飾シート５４に形成された装飾模様を視認可能な程度の透過性があれば、如何なる透明度の部材を用いるものとしてもよい。
【００３８】
実施例では、装飾部材を備える本発明をパチンコ機１０に適用して説明したが、これに限定されるものではなく、アレンジボールやスロットマシン，パチンコ機とスロットマシンとの融合機など他の如何なる遊技機に適用するものとしてもよい。
【００３９】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【符号の説明】
【００４０】
１０  パチンコ機、１１  前面枠、１２  ガラス板、１４  上受け皿、１６  下受け皿、１８  発射ハンドル、２１  本体枠、２２  外枠、２４ａ  球貸ボタン、２４ｂ  返却ボタン、２６  演出ボタン、２８ａ，２８ｂ  スピーカ、２９  施錠装置、３０  遊技盤、３０ａ  遊技盤本体、３１ａ  外レール、３１ｂ  内レール、３２  普通図柄作動ゲート、３２ａ  ゲートスイッチ、３４  演出表示装置、３６  第１始動口、３８  第２始動口、４０  図柄表示装置、４４  大入賞口、４５  一般入賞口、４６  アウト口、４８  風車、４９  センター役物、５０  装飾部材、５２  透明板、５３  凸部、５３ａ  第１傾斜面、５３ｂ  第２傾斜面、５４，５４Ａ，５４Ｂ，５４Ｃ  装飾シート、５５  凹凸面、５５ａ  第１凹凸面、５５ｂ  第２凹凸面。
【図１】
2015100600.tif 000003
【図２】
2015100600.tif 000004
【図３】
2015100600.tif 000005
【図４】
2015100600.tif 000006
【図５】
2015100600.tif 000007
【図６】
2015100600.tif 000008